(57)【要約】      （修正有）【課題】手で持って運搬するときの、安定度が高い取手構造を持つ画像形成装置を提供する。【解決手段】画像を形成する画像形成部と、外装ケースの一部である第１の面２１と、第１の面２１と連続して第１の面２１の奥行き方向Ｄ２に形成された、鉛直方向Ｄ３下側を向く第２の面２２と、第２の面２２と連続して奥行き方向Ｄ２に対して傾斜する、鉛直方向Ｄ３上側に形成された第３の面２３と、第３の面２３と連続して奥行き方向Ｄ２に形成された第４の面２４とを有する取手部２とを備える。また、第２の面２２における奥行き方向Ｄ２の幅Ｗが、１０ｍｍ以上１５ｍｍ以下の範囲にあり、鉛直方向Ｄ３における第２の面２２から第４の面２４までの高さＨを、１５ｍｍ以上２５ｍｍ以下の範囲に形成してインクジェット式プリンター等画像形成装置を構成する。【選択図】図２
0003166458.tif 000002
【実用新案登録請求の範囲】
【請求項１】
画像を形成する画像形成部と、
外装ケースの一部である第１の面と、前記第１の面と連続して前記第１の面の奥行き方向に形成された、鉛直方向下側を向く第２の面と、前記第２の面と連続して前記奥行き方向に対して傾斜する、鉛直方向上側に形成された第３の面と、前記第３の面と連続して前記奥行き方向に形成された第４の面とを有する取手部と、を備え、
前記第２の面における前記奥行き方向の幅が、１０ｍｍ以上１５ｍｍ以下の範囲にあり、前記鉛直方向における前記第２の面から前記第４の面までの高さが、１５ｍｍ以上２５ｍｍ以下の範囲にあることを特徴とする画像形成装置。
【請求項２】
請求項１に記載の画像形成装置であって、
前記第２の面において、鉛直面で前記奥行き方向に切断した断面が、前記鉛直方向下側に突出した湾曲形状であることを特徴とする画像形成装置。
【請求項３】
請求項１または請求項２に記載の画像形成装置であって、
前記第２の面において、鉛直面で前記奥行き方向と直交する方向に切断した断面が、湾曲形状であることを特徴とする画像形成装置。
【請求項４】
請求項３に記載の画像形成装置であって、
前記湾曲形状は、前記鉛直方向上側に突出することを特徴とする画像形成装置。
【請求項５】
請求項３に記載の画像形成装置であって、
前記湾曲形状は、前記鉛直方向下側に突出することを特徴とする画像形成装置。
【請求項６】
画像を読み取る画像読取部と、
外装ケースの一部である第１の面と、前記第１の面と連続して前記第１の面の奥行き方向に形成された、鉛直方向下側を向く第２の面と、前記第２の面と連続して前記奥行き方向に対して傾斜する、鉛直方向上側に形成された第３の面と、前記第３の面と連続して前記奥行き方向に形成された第４の面とを有する取手部と、を備え、
前記第２の面における前記奥行き方向の幅が、１０ｍｍ以上１５ｍｍ以下の範囲にあり、前記鉛直方向における前記第２の面から前記第４の面までの高さが、１５ｍｍ以上２５ｍｍ以下の範囲にあることを特徴とする画像読取装置。
【考案の詳細な説明】
【技術分野】
【０００１】
本考案は、画像形成装置、画像読取装置に関する。
【背景技術】
【０００２】
プリンター、ファクシミリなどの画像形成装置や、スキャナーなどの画像読取装置においては、運搬用として外装面に取手部が設けられている。外装面に取手部を設けると、装置の外形寸法が長くなってしまう。そこで、例えば、特許文献１では、外装の一部の外装面を装置内側に窪ませた形状の取手部を設けることにより、装置の外形寸法が長くなってしまうことを抑制している。
【先行技術文献】
【特許文献】
【０００３】
【特許文献１】特開２００６−１９５０００号公報
【考案の概要】
【考案が解決しようとする課題】
【０００４】
しかしながら、運搬者が、取手部を持って画像形成装置や画像読取装置を運搬するとき、取手部から手が離れてしまい、装置を落下させてしまうという不安感を感じる場合がある。すなわち、運搬者が取手部を手で持ったときの安定感が低いという課題がある。
【課題を解決するための手段】
【０００５】
本考案は、上述の課題の少なくとも一部を解決するためになされたものであり、以下の形態または適用例として実現することが可能である。
【０００６】
［適用例１］画像を形成する画像形成部と、外装ケースの一部である第１の面と、前記第１の面と連続して前記第１の面の奥行き方向に形成された、鉛直方向下側を向く第２の面と、前記第２の面と連続して前記奥行き方向に対して傾斜する、鉛直方向上側に形成された第３の面と、前記第３の面と連続して前記奥行き方向に形成された第４の面とを有する取手部と、を備え、前記第２の面における前記奥行き方向の幅が、１０ｍｍ以上１５ｍｍ以下の範囲にあり、前記鉛直方向における前記第２の面から前記第４の面までの高さが、１５ｍｍ以上２５ｍｍ以下の範囲にあることを特徴とする画像形成装置。
【０００７】
本適用例によれば、第２の面における奥行き方向の幅が、１０ｍｍ以上１５ｍｍ以下の範囲にあることにより、指の第１関節と第２関節を曲げた状態で、第１関節より指の先端側が第３の面に当接し、第１関節と第２関節の間の指の部分が第２の面に当接し、第２関節より指の付け根側が第１の面に当接する。また、鉛直方向における第２の面から第４の面までの高さが、１５ｍｍ以上２５ｍｍ以下の範囲にあることにより、指の先端部が第４の面に当接するともに、第１関節と第２関節の間の指の部分が第２の面に当接することができる。そのため、運搬者は、指全体が取手部に接した状態で、鉛直方向下側から指全体で取手部を囲むようにして握ることができるので、運搬者が取手部を手に持つときの保持性が高くなる。これにより、運搬者が、取手部を持って、画像形成装置を運搬しようとするとき、取手部から手が離れてしまい、画像形成装置を落下させてしまうという不安感を小さくすることができる。従って、運搬者が感じる、取手部を手で持ったときの安定感が増すことになる。
【０００８】
［適用例２］前記第２の面において、鉛直面で前記奥行き方向に切断した断面が、前記鉛直方向下側に突出した湾曲形状であることを特徴とする上記画像形成装置。
【０００９】
本適用例によれば、第１の面と第２の面および第２の面と第３の面とが連続する部分に角部が形成されていないので、角部が指に当接することで指が痛くなることを抑制できる。従って、運搬者は取手部を手によって安定して保持できる。
【００１０】
［適用例３］前記第２の面において、鉛直面で前記奥行き方向と直交する方向に切断した断面が、湾曲形状であることを特徴とする上記画像形成装置。
【００１１】
本適用例によれば、取手部に対して手が運搬者の前後方向に滑ることを抑制できる。従って、運搬者が取手部を手に持つときの保持性が高くなる。
【００１２】
［適用例４］前記湾曲形状は、前記鉛直方向上側に突出することを特徴とする上記画像形成装置。
【００１３】
本適用例によれば、鞄やハンドバックなどの取手部の湾曲形状と同じように、鉛直方向上側に突出するので、鞄やハンドバックなどの取手部を保持したときと同様な安定感を感じることができる。
【００１４】
［適用例５］前記湾曲形状は、前記鉛直方向下側に突出することを特徴とする上記画像形成装置。
【００１５】
本適用例によれば、運搬者が何も持たないで親指を除く他の複数の指を揃えて握った状態では、指が伸びる方向から見た複数の指の並び方も、鉛直方向下側に突出した湾曲形状となる。そのため、運搬者が何も持たないで親指を除く他の複数の指を揃えて握った状態のまま、運搬者が湾曲形状の端面に沿って取手部を握ることができる。これにより、各指が第２の面に均等の力で当接するので、運搬者が取手部を手に持つときの保持性が高くなる。
【００１６】
［適用例６］画像を読み取る画像読取部と、外装ケースの一部である第１の面と、前記第１の面と連続して前記第１の面の奥行き方向に形成された、鉛直方向下側を向く第２の面と、前記第２の面と連続して前記奥行き方向に対して傾斜する、鉛直方向上側に形成された第３の面と、前記第３の面と連続して前記奥行き方向に形成された第４の面とを有する取手部と、を備え、前記第２の面における前記奥行き方向の幅が、１０ｍｍ以上１５ｍｍ以下の範囲にあり、前記鉛直方向における前記第２の面から前記第４の面までの高さが、１５ｍｍ以上２５ｍｍ以下の範囲にあることを特徴とする画像読取装置。
【図面の簡単な説明】
【００１７】
【図１】インクジェット式プリンターの外観斜視図。
【図２】取手部を鉛直面で奥行き方向に切断した断面を含む部分斜視図。
【図３】取手部を鉛直方向における下側から見た部分斜視図。
【図４】取手部を手で持った状態を示す断面図。
【図５】比較例における取手部を手で持った状態を示す断面図。
【図６】比較例における取手部を手で持った状態を示す断面図。
【図７】比較例における取手部を手で持った状態を示す断面図。
【図８】被試験物を持ったときの安定感について、官能評価を行った結果を示す表。
【図９】第２実施形態における取手部を、鉛直面で奥行き方向に切断した断面を含む部分斜視図。
【図１０】（ａ）は、第３実施形態における取手部の第２の面が形成されている位置における断面図、（ｂ）は、第４実施形態における取手部の第２の面が形成されている位置における断面図。
【図１１】フレームを含んで構成した取手部の一部断面図。
【図１２】外装ケース側面の鉛直方向における中央部に備えられた取手部を示す図。
【図１３】スキャナーの外観斜視図。
【考案を実施するための形態】
【００１８】
以下、本考案の実施形態について、図面を参照して説明する。
【００１９】
（第１実施形態）
図１は、第１実施形態に係る画像形成装置としてのインクジェット式プリンター（以降は、プリンターと称する）１の外観斜視図である。プラスティックなどの樹脂材料で構成される外装ケース４には、電源のオン・オフ操作、給紙操作、印刷条件の設定値の変更操作などを行うための操作用パネル９が備えられる。また、外装ケース４には、液晶パネル８が備えられ、使用者が操作用パネル９を操作するときの印刷条件の設定値などを液晶パネル８に表示する。
【００２０】
外装ケース４の背面側には、用紙Ｍを積載するための用紙サポート５が備えられる。操作用パネル９による給紙操作やプリンター１に接続されたコンピューター（不図示）からの印刷データの受信により、１枚の用紙Ｍが外装ケース４の内部に給紙される。
【００２１】
外装ケース４の内部には、用紙Ｍを搬送方向Ｄ１に搬送する搬送部（不図示）、インクを噴射する液体噴射ヘッド（不図示）を含んで構成する画像形成部が備えられる。画像形成部は、搬送部によって搬送される用紙Ｍに対して、液体噴射ヘッドからインクを噴射させて画像を形成し、用紙Ｍを開口部１０から排出させる。
【００２２】
外装ケース４における外装ケース側面３，６には、取手部２，７がそれぞれ備えられる。運搬者は、取手部２，７を両手で持って、プリンター１を運搬する。
【００２３】
図２は、図１の鉛直面で奥行き方向Ｄ２に切断したＡ−Ａ´断面（図２の網目で示した面）を含み、搬送方向Ｄ１から見た取手部２の部分斜視図である。取手部２には、第１の面２１（位置Ｐ１、Ｐ２、Ｐ３、Ｐ４で囲む平面）と、第２の面２２（位置Ｐ２、Ｐ３、Ｐ７、Ｐ６で囲む平面）と、第３の面２３（位置Ｐ５、Ｐ６、Ｐ７、Ｐ８で囲む平面）とが形成されている。
【００２４】
第１の面２１は、面方向が鉛直方向Ｄ３の平面であり、外装ケース側面３の一部である。第２の面２２は、位置Ｐ２と位置Ｐ３を結ぶ辺で第１の面２１と連続し、奥行き方向Ｄ２の幅Ｗを有し、奥行き方向Ｄ２に伸びる面である。第２の面２２の面が向く方向は鉛直方向Ｄ３における下側であり、第２の面２２は、取手部２，７の鉛直方向Ｄ３における下側の端面となる。
【００２５】
第３の面２３は、位置Ｐ６と位置Ｐ７を結ぶ辺で第２の面２２と連続し、第２の面２２の奥行き方向Ｄ２側に位置する。奥行き方向Ｄ２における水平面に対する第３の面２３の傾斜角度Ｒは、本実施形態では略６０度で形成されている。
【００２６】
第３の面２３の奥行き方向Ｄ２側には、第４の面２４（位置Ｐ５、Ｐ８、Ｐ１０、Ｐ９で囲む平面）が形成されている。第４の面２４は、位置Ｐ５と位置Ｐ８を結ぶ辺で第３の面２３と連続し、第３の面２３の奥行き方向Ｄ２側に形成された平面である。第４の面２４は、第２の面２２より鉛直方向Ｄ３において高さＨを有し、上側に位置する。
【００２７】
第３の面２３、第４の面２４、第４の面２４の奥行き方向Ｄ２側に形成された鉛直方向Ｄ３の壁面２５によって、鉛直方向Ｄ３の下側に開口する凹部が形成される。
【００２８】
図３は、外装ケース側面３に形成された取手部２を、鉛直方向Ｄ３における下側から見た部分斜視図である。図２を用いて説明したように、取手部２には、外装ケース側面３の一部である第１の面２１、第２の面２２、第３の面２３が形成されている。
【００２９】
また、第３の面２３の奥行き方向Ｄ２側には、鉛直方向Ｄ３における第２の面２２より上側に位置する第４の面２４が形成されている。図１の外装ケース側面６に形成された取手部７にも、図２、図３の取手部２と同様に、第１の面２１、第２の面２２、第３の面２３、第４の面２４が形成されている。
【００３０】
図４は、取手部２を手で持った状態を示す断面図である。第１関節Ｂ１から指Ｆの先端側が、第３の面２３に当接し、第１関節Ｂ１から第２関節Ｂ２までの指Ｆの部分が、第２の面２２に当接する。また、第２関節Ｂ２から指Ｆの付け根側の指Ｆの部分が、第１の面２１に当接する。
【００３１】
このように、指Ｆの第１関節Ｂ１と第２関節Ｂ２を曲げた状態で、取手部２を指Ｆで囲むようにして取手部２を保持する。そのため、安定した状態で取手部２を手で持つことができる。
【００３２】
また、指Ｆの先端部が、第４の面２４に当接する。そのため、さらに安定した状態で取手部２を手で持つことができる。
【００３３】
図５（ａ）、（ｂ）、図６（ａ）、（ｂ）、図７は、比較例における取手部を手で持った状態を示す断面図である。図５（ａ）の比較例としての取手部２ｈには、本実施形態の取手部２と同様に、第１の面２１ｈ、第２の面２２ｈ、第３の面２３ｈ、第４の面２４ｈが形成されている。
【００３４】
取手部２ｈにおいて、第２の面２２ｈの奥行き方向Ｄ２における幅Ｗ１が、第１関節Ｂ１と第２関節Ｂ２を曲げた状態での指Ｆの空間幅Ｃ１より短い。
【００３５】
そのため、取手部２ｈの第２の面２２ｈが指Ｆに当接する面積は、図４の取手部２の第２の面２２が指Ｆに当接する面積より小さいので、図５（ａ）の取手部２ｈの第２の面２２ｈによって指Ｆにかかる圧力は、図４の取手部２の第２の面２２によって指Ｆにかかる圧力より大きく、運搬者は、指Ｆに痛みを感じることになる。
【００３６】
図５（ｂ）の比較例としての取手部２ｉには、本実施形態の取手部２と同様に、第１の面２１ｉ、第２の面２２ｉ、第３の面２３ｉ、第４の面２４ｉが形成されている。取手部２ｉにおいて、第２の面２２ｉの奥行き方向Ｄ２における幅Ｗ２が、図５（ａ）の第１関節Ｂ１と第２関節Ｂ２を曲げた状態での指Ｆの空間幅Ｃ１より長い。
【００３７】
そのため、第１関節Ｂ１を曲げることができないので、第１関節Ｂ１より指Ｆの先端側が第３の面２３ｉに当接することができない。従って、指Ｆによって、取手部２ｉを囲むようにして保持できないため、手で取手部２ｉを持ったときの保持性が低い。
【００３８】
図６（ａ）の比較例としての取手部２ｊには、本実施形態の取手部２と同様に、第１の面２１ｊ、第２の面２２ｊ、第３の面２３ｊ、第４の面２４ｊが形成されている。
【００３９】
取手部２ｊにおいて、鉛直方向Ｄ３における第２の面２２ｊから第４の面２４ｊまでの高さＨ１が、第１関節Ｂ１と第２関節Ｂ２を曲げた状態での指Ｆの高さＥ１より高い。そのため、指Ｆの先端が第４の面２４ｊに当接しないので、手で取手部２ｊを持ったときの保持性が低い。
【００４０】
図６（ｂ）の比較例としての取手部２ｋには、本実施形態の取手部２と同様に、第１の面２１ｋ、第２の面２２ｋ、第３の面２３ｋ、第４の面２４ｋが形成されている。
【００４１】
取手部２ｋにおいて、鉛直方向Ｄ３における第２の面２２ｋから第４の面２４ｋまでの高さＨ２が、第１関節Ｂ１と第２関節Ｂ２を曲げた状態での指Ｆの高さＥ２より低い。そのため、指Ｆの先端が第４の面２４ｋに当接するが、第１関節Ｂ１と第２関節Ｂ２の間の指Ｆの部分が、第２の面２２ｋに当接しないので、手で取手部２ｋを持ったときの保持性が低い。
【００４２】
図７の比較例としての取手部２ｍには、第１の面２１ｍ、第２の面２２ｍ、垂直面８０、第４の面２４ｍが形成され、図２の水平面に対して傾斜した第３の面２３が形成されていない。
【００４３】
図８（ａ）、（ｂ）、（ｃ）は、評価者が被試験物を持ったときの安定感について、官能評価を行った結果を示す表である。評価対象となった被試験物の重量は、約１０Ｋｇであり、樹脂材料からなら箱型形状（縦の長さ３５０ｍｍ、横の長さ４５０ｍｍ、高さ２００ｍｍ）の被試験物を用いた。被試験物の両側側面には、脱着可能な取手部を取り付け、評価条件に応じた形状の取手部に交換し、官能評価を行った。
【００４４】
評価者の人数は約４０人であり、数値として算出された評価結果から、安定感について、「非常に良い」と感じた場合は「◎」で示し、「良い」と感じた場合は「○」で示し、「やや不適合」と感じた場合は「△」で示し、「不適合」と感じた場合は「×」で示す。
【００４５】
図８（ａ）は、図２の奥行き方向Ｄ２における第２の面２２の幅Ｗを変化させたときの安定感について、官能評価を行った結果を示す表である。図４に示したように、指Ｆが取手部２の第１の面２１、第２の面２２、第３の面２３に当接した状態にあるとき、「非常に良い」または「良い」と感じることができる。
【００４６】
反対に、図５（ａ）に示したように、指Ｆの一部に取手部２ｈの第２の面２２ｈが当接するときや、図５（ｂ）に示したように、第１関節Ｂ１から指Ｆの先端側が、取手部２ｉの第３の面２３ｉに当接しない状態にあるとき、「やや不適合」または「不適合」と感じる。
【００４７】
図８（ａ）の表に示すように、図２の奥行き方向Ｄ２における第２の面２２の幅Ｗが、１０ｍｍ、１１ｍｍ、１４ｍｍ、１５ｍｍであるとき、安定感が良く、第２の面２２の幅Ｗが、１２ｍｍ、１３ｍｍであるとき、安定感が非常に良いとの評価結果を得た。
【００４８】
この評価結果より、図２の奥行き方向Ｄ２における第２の面２２の幅Ｗを１０ｍｍ以上１５ｍｍ以下にすれば、指Ｆによって取手部２を保持する保持性が低下することを抑制できるので、手で取手部２を持ったときの安定感が低下することを抑制できる。
【００４９】
図８（ｂ）は、図２の鉛直方向Ｄ３における第１の面２１の高さＨを変化させたときの安定感について、官能評価を行った結果を示す表である。図４に示したように、指Ｆの先端が第４の面２４に当接し、第１関節Ｂ１と第２関節Ｂ２との間の指Ｆの部分が、第２の面２２に当接した状態にあるとき、「非常に良い」または「良い」と感じることができる。
【００５０】
反対に、図６（ａ）に示したように、指Ｆの先端が取手部２ｊの第４の面２４ｊに当接しないときや、図６（ｂ）に示したように、第１関節Ｂ１と第２関節Ｂ２との間の指Ｆの部分が、第２の面２２ｋに当接しない状態にあるとき、「やや不適合」または「不適合」と感じる。
【００５１】
図８（ｂ）の表に示すように、図２の鉛直方向Ｄ３における第２の面２２から第４の面２４までの高さＨが、２０ｍｍであるとき、安定感が良く、高さＨが、２５ｍｍであるとき、安定感が非常に良いとの評価結果を得た。
【００５２】
図８（ｃ）は、図２の第３の面２３が形成された取手部２と、第３の面が形成されていない図７の取手部２ｍとを官能評価によって比較した結果を示す表である。図８（ｃ）に示すように、第３の面２３が形成された取手部２は、非常に良いとの評価結果を得た。
【００５３】
以上、本実施形態で説明したプリンター１は、画像を形成する画像形成部と、図２の外装ケース４の外装ケース側面３の一部である第１の面２１と、第１の面２１と連続して第１の面２１の奥行き方向Ｄ２に形成された、鉛直方向Ｄ３下側を向く第２の面２２と、第２の面２２と連続して奥行き方向Ｄ２に対して傾斜する、鉛直方向Ｄ３上側に形成された第３の面２３と、第３の面２３と連続して奥行き方向Ｄ２に形成された第４の面２４とを有する取手部２と、を備え、第２の面２２における奥行き方向Ｄ２の幅Ｗが、１０ｍｍ以上１５ｍｍ以下の範囲にあり、鉛直方向Ｄ３における第２の面２２から第４の面２４までの高さＨが、１５ｍｍ以上２５ｍｍ以下の範囲にある。
【００５４】
第２の面２２における奥行き方向Ｄ２の幅Ｗが、１０ｍｍ以上１５ｍｍ以下の範囲にあることにより、指Ｆの第１関節Ｂ１と第２関節Ｂ２を曲げた状態で、第１関節Ｂ１より指Ｆの先端側が第３の面２３に当接し、第１関節Ｂ１と第２関節Ｂ２の間の指Ｆの部分が第２の面２２に当接し、第２関節Ｂ２より指Ｆの付け根側が第１の面２１に当接する。また、鉛直方向Ｄ３における第２の面２２から第４の面２４までの高さＨが、１５ｍｍ以上２５ｍｍ以下の範囲にあることにより、指Ｆの先端部が第４の面２４に当接するともに、第１関節Ｂ１と第２関節Ｂ２の間の指Ｆの部分が第２の面２２に当接することができる。そのため、運搬者は、指Ｆ全体が取手部２に接した状態で、鉛直方向Ｄ３下側から指Ｆ全体で取手部２を囲むようにして握ることができるので、運搬者が取手部２を手に持つときの保持性が高くなる。これにより、運搬者が、取手部２を持って、プリンター１を運搬しようとするとき、取手部２から手が離れてしまい、プリンター１を落下させてしまうという不安感を小さくすることができる。従って、運搬者が感じる、取手部２を手で持ったときの安定感が増すことになる。
【００５５】
（第２実施形態）
第２実施形態では、鉛直面で奥行き方向Ｄ２に切断した断面が湾曲形状である第２の面を備えた取手部について説明する。
【００５６】
図９は、本実施形態における取手部２ａを、鉛直面で奥行き方向Ｄ２に切断した断面（網目で示した面）を含む部分斜視図である。取手部２ａには、第１の面２１（位置Ｐ１、Ｐ２、Ｐ３、Ｐ４で囲む平面）と、第２の面２２ａ（位置Ｐ２、Ｐ３、Ｐ７、Ｐ６で囲む湾曲面）と、第３の面２３（位置Ｐ５、Ｐ６、Ｐ７、Ｐ８で囲む平面）とが形成されている。
【００５７】
取手部２ａには、第１実施形態の取手部２と同様に、奥行き方向Ｄ２側に第３の面２３と連続し、第２の面２２ａより鉛直方向Ｄ３において上側に位置する第４の面２４が形成されている。
【００５８】
第２の面２２ａは、面の向く方向が鉛直方向Ｄ３下側であり、取手部２ａにおける鉛直方向Ｄ３下側の端面を構成する。図９に示すように、第２の面２２ａにおいて、鉛直面で奥行き方向Ｄ２に切断した断面が、鉛直方向Ｄ３下側に突出した湾曲形状である。取手部２ａは、本実施形態のプリンターにおける外装ケースの両側面に備えられる。
【００５９】
第２の面２２ａの断面が湾曲形状であることにより、第１の面２１と第２の面２２ａおよび第２の面２２ａと第３の面２３とが連続する部分に角部が形成されていないので、角部が指に当接することで指が痛くなることを抑制できる。従って、運搬者は取手部２ａを手によって安定して保持できる。
【００６０】
（第３実施形態）
第３実施形態では、鉛直面で奥行き方向Ｄ２と直交する方向に切断した断面が湾曲形状である第２の面を備えた取手部について説明する。
【００６１】
図１０（ａ）は、第３実施形態におけるプリンター１ｂを、取手部の第２の面が形成されている位置において、鉛直面で奥行き方向Ｄ２と直交する方向に切断した断面図である。第３実施形態の取手部２ｂに形成された第２の面２２ｂは、鉛直方向Ｄ３上側に突出する湾曲形状を有する。取手部２ｂは、本実施形態のプリンター１ｂにおける外装ケースの両側面に備えられる。
【００６２】
これにより、取手部２ｂに対して運搬者の手が運搬者の前後方向に滑ることを抑制できる。従って、運搬者は取手部２ｂを手によって安定して保持できる。
【００６３】
また、奥行き方向Ｄ２から見た湾曲形状が、鉛直方向Ｄ３における上側に突出していることにより、鞄やハンドバックなどに備えられている布や皮などのバンド状の取手部の湾曲形状と同じ方向に突出するので、鞄やハンドバックなどの取手部を保持したときと同様な安定感を感じることができる。
【００６４】
（第４実施形態）
第３実施形態では、鉛直方向Ｄ３上側に突出する湾曲形状を有する第２の面２２ｂを備えたが、第４実施形態では、鉛直方向Ｄ３下側に突出する湾曲形状を有する第２の面を備える。
【００６５】
図１０（ｂ）は、第４実施形態におけるプリンター１ｃを、取手部の第２の面が形成されている位置において、鉛直面で奥行き方向Ｄ２と直交する方向に切断した断面図である。第４実施形態の取手部２ｃにおける第２の面２２ｃは、鉛直方向Ｄ３下側に突出する湾曲形状を有する。取手部２ｃは、本実施形態のプリンター１ｃにおける外装ケースの両側面に備えられる。
【００６６】
運搬者が何も持たないで親指を除く他の複数の指を揃えて握った状態では、複数の指の並び方も湾曲した形状となる。そのため、運搬者が第２の面２２ｃの湾曲形状に沿って取手部２ｃを握ると、奥行き方向Ｄ２から見た複数の指の並び方も鉛直方向Ｄ３下側に湾曲した形状となる。これにより、各指が第２の面２２ｃに均等の力で当接する。従って、運搬者は取手部２ｃを手によって安定して保持できる。
【００６７】
第１実施形態〜第４実施形態で説明した第１の面２１、第３の面２３、第４の面２４は平面であったが、曲面を含んでもよい。
【００６８】
第１実施形態〜第４実施形態で説明した取手部２，２ａ，２ｂ，２ｃは、樹脂製などの外装ケースの部材で構成されていたが、取手部を、金属製などのフレームを含んで構成してもよい。図１１（ａ）、（ｂ）は、金属製などのフレームを含んで構成した取手部の一部断面図である。
【００６９】
図１１（ａ）の取手部２ｄは、第１の面２１と第２の面２２とが外装ケース１１に形成されており、第３の面２３と第４の面２４とがフレーム１２に形成されている。
【００７０】
図１１（ｂ）の取手部２ｅは、第１の面２１と第２の面２２と第３の面２３とが外装ケース１３に形成されており、第４の面２４がフレーム１４に形成されている。
【００７１】
以上、説明した取手部２，２ａ，２ｂ，２ｃ，２ｄ，２ｅは、外装ケース側面３の底部に形成されていたが、外装ケース側面３の鉛直方向Ｄ３における中央部に取手部を備えてもよい。図１２は、鉛直方向Ｄ３下側から見た図で、外装ケース側面３の鉛直方向Ｄ３における中央部に備えられた取手部２ｆを示す図である。
【００７２】
図１２の取手部２ｆは、外装ケース側面３の鉛直方向Ｄ３における中央部に備えられ、第１の面２１、第２の面２２、第３の面２３、第４の面２４が形成されている。
【００７３】
取手部２，２ａ，２ｂ，２ｃ，２ｄ，２ｅ，２ｆを、画像形成装置としてのプリンター１に備えたが、画像読取装置としてのスキャナーにも本考案が適用する。図１３は、画像読取装置としてのスキャナー３０の外観斜視図である。
【００７４】
外装ケース３３に形成された開口部３２には、ガラスなどの透明な原稿台３１が備えられる。蓋部３８によって、原稿台３１に置かれた文字や画像が描かれた原稿（不図示）が覆われる。
【００７５】
スキャナー３０は、イメージセンサー３７などを含んで構成する画像読取部を備える。イメージセンサー３７は、ガイド軸３６に沿って矢印方向に移動しながら原稿に描かれた文字や画像を読み取る。
【００７６】
以上、説明した本考案の取手部を、スキャナー３０の外装ケース側面３４，４０に、取手部３５，３９としてそれぞれ備えてもよい。
【００７７】
また、本考案は、感光体を備えたプリンター、電話回線と接続されたファクシミリ装置、画像形成部と画像読取部とを備えた複合機などにも適用する。
【符号の説明】
【００７８】
１，１ｂ，１ｃ……インクジェット式プリンター、２，２ａ，２ｂ，２ｃ，２ｄ，２ｅ，２ｆ，７，３５，３９…取手部、４，３３…外装ケース、２１…第１の面、２２，２２ａ，２２ｂ，２２ｃ…第２の面、２３…第３の面、２４…第４の面、３０…スキャナー、Ｄ２…奥行き方向、Ｄ３…鉛直方向、Ｈ…高さ、Ｗ…幅。
【図１】
0003166458.tif 000003
【図２】
0003166458.tif 000004
【図３】
0003166458.tif 000005
【図４】
0003166458.tif 000006
【図５】
0003166458.tif 000007
【図６】
0003166458.tif 000008
【図７】
0003166458.tif 000009
【図８】
0003166458.tif 000010
【図９】
0003166458.tif 000011
【図１０】
0003166458.tif 000012
【図１１】
0003166458.tif 000013
【図１２】
0003166458.tif 000014
【図１３】
0003166458.tif 000015